【事件の表示】
　特許第３１５６８８８号「印字装置」の請求項１ないし３に係る特許に対する特許異議の申立てについて、次のとおり決定する。
【結　論】
　訂正を認める。
　特許第３１５６８８８号の請求項１ないし３に係る特許を取り消す。
【理　由】
１．手続の経緯
　特許第３１５６８８８号の請求項１ないし３に係る発明についての出願は、平成５年３月２９日に出願したものであって、平成１３年２月９日にその特許権の設定登録がなされ、その後、コニカ株式会社より特許異議の申立てがなされ、取消しの理由が通知され、その指定期間内である平成１４年３月２５日に訂正請求がなされたものである。
　
２．訂正の適否についての判断
（１）訂正の内容
ア．訂正事項ａ
　特許請求の範囲の記載について、
「【請求項１】　外部から送信された印字データを受信する為のインターフェースと、この印字データを印字媒体に文字や画像として印字する印字手段とを備えた印字装置において、
　前記受信した印字データを格納する為の書込み可能な不揮発性メモリと、
　前記受信した印字データを前記不揮発性メモリに格納しないで前記印字手段に印字させる印字モードと、前記受信した印字データを前記印字手段に印字させると共に前記不揮発性メモリに格納する印字・格納モードとを設定可能な設定手段と、
　前記不揮発性メモリに格納された印字データを読出して前記印字手段に印字させる読出し手段と、
　前記設定手段により印字・格納モードが設定された場合に、前記受信した印字データの前記印字手段の印字のための印字処理と、前記受信した印字データの前記不揮発性メモリへの格納処理とを並行して処理する並行処理手段と、
　を備えたことを特徴とする印字装置。
　【請求項２】　前記不揮発性メモリに格納された印字データを、受信した印字データと合成印字させる合成制御手段を設けたことを特徴とする請求項１に記載の印字装置。
　【請求項３】　前記印字データの不揮発性メモリへの格納が完了したときに、印字データを識別する為の識別データを印字データに付随させて不揮発性メモリに格納する識別データ格納手段を設けたことを特徴とする請求項１に記載の印字装置。」
とあるのを、
「【請求項１】　外部から送信された印字データを受信する為のインターフェースと、この印字データを印字媒体に文字や画像として印字する印字手段とを備えた印字装置において、
　前記受信した印字データを格納する為の書込み可能な不揮発性メモリと、
　前記受信した印字データを前記不揮発性メモリに格納しないで前記印字手段に印字させる印字モードと、前記受信した印字データを前記印字手段に印字させると共に前記不揮発性メモリに格納する印字・格納モードとを設定可能な設定手段と、
　前記不揮発性メモリに格納された印字データを読出して前記印字手段に印字させる読出し手段と、
　前記設定手段により印字・格納モードが設定された場合に、前記受信した印字データの前記印字手段の印字のための印字処理と、前記受信した印字データの前記不揮発性メモリへの格納処理とを並行して処理する並行処理手段と、
　
前記印字データを識別する為の識別データを印字データに付随させて不揮発性メモリに格納する識別データ格納手段と、
前記識別データを指示するキーと、
前記不揮発性メモリに格納された印字データを消去するための消去キーと、
前記消去キーが操作されたときに、前記キーで指示された前記識別データの印字データを前記不揮発性メモリから消去すること
　【請求項２】　前記不揮発性メモリに格納された印字データを、受信した印字データと合成印字させる合成制御手段を設けたことを特徴とする請求項１に記載の印字装置。
　【請求項３】　
前記識別データ格納手段は、
格納すること
と訂正する（訂正個所にアンダーラインを付した。以下、同じ。）。
イ．訂正事項ｂ
　明細書の段落【０００６】の記載について、
「【課題を解決するための手段】
　請求項１の印字装置は、図１の機能ブロック図に実線で示すように、外部から送信された印字データを受信する為のインターフェースと、この印字データを印字媒体に文字や画像として印字する印字手段とを備えた印字装置において、前記受信した印字データを格納する為の書込み可能な不揮発性メモリと、前記受信した印字データを前記不揮発性メモリに格納しないで前記印字手段に印字させる印字モードと、前記受信した印字データを前記印字手段に印字させると共に前記不揮発性メモリに格納する印字・格納モードとを設定可能な設定手段と、前記不揮発性メモリに格納された印字データを読出して前記印字手段に印字させる読出し手段と、前記設定手段により印字・格納モードが設定された場合に、前記受信した印字データの前記印字手段の印字のための印字処理と、前記受信した印字データの前記不揮発性メモリへの格納処理とを並行して処理する並行処理手段とを備えたものである。」
とあるのを、
「【課題を解決するための手段】
　請求項１の印字装置
は、外部
前記印字データを識別する為の識別データを印字データに付随させて不揮発性メモリに格納する識別データ格納手段と、前記識別データを指示するキーと、前記不揮発性メモリに格納された印字データを消去するための消去キーと、前記消去キーが操作されたときに、前記キーで指示された前記識別データの印字データを前記不揮発性メモリから消去する
と訂正する。
ウ．訂正事項ｃ
　明細書の段落【０００８】の記載について、
「請求項３の印字装置は、図１の機能ブロック図に２点鎖線で示すように、請求項１の印字装置において、前記印字データの不揮発性メモリへの格納が完了したときに、印字データを識別する為の識別データを印字データに付随させて不揮発性メモリに格納する識別データ格納手段を設けたものである。」
とあるのを、
「請求項３の印字装置
は、請求項１
前記識別データ格納手段が、
格納するもの
と訂正する。
エ．訂正事項ｄ
　明細書の段落【０００９】の記載について、
「【作用】
　請求項１の印字装置においては、設定手段で印字・格納モードが設定されると、インターフェースを介して受信した印字データは、印字手段に出力されると共に不揮発性メモリに書込まれる。一方、設定手段で印字モードが設定されると、受信した印字データを不揮発性メモリに格納することなく印字手段に出力させる。読出し手段は、その不揮発性メモリに格納された印字データを読出して印字手段に印字させる。印字手段は不揮発性メモリから読出された印字データあるいはインターフェースを介して受信した印字データを印字媒体に文字や画像として印字する。そして、設定手段により印字・格納モードが設定された場合、並行処理手段が、受信した印字データの印字処理と、受信した印字データの不揮発性メモリへの格納処理とを並行して処理する。」
とあるのを、
「【作用】
　請求項１の印字装置においては、設定手段で印字・格納モードが設定されると、インターフェースを介して受信した印字データは、印字手段に出力されると共に不揮発性メモリに書込まれる。一方、設定手段で印字モードが設定されると、受信した印字データを不揮発性メモリに格納することなく印字手段に出力させる。読出し手段は、その不揮発性メモリに格納された印字データを読出して印字手段に印字させる。印字手段は不揮発性メモリから読出された印字データあるいはインターフェースを介して受信した印字データを印字媒体に文字や画像として印字する。そして、設定手段により印字・格納モードが設定された場合、並行処理手段が、受信した印字データの印字処理と、受信した印字データの不揮発性メモリへの格納処理とを並行して処理する。
識別データ格納手段は、印字データを識別する為の識別データを印字データに付随させて不揮発性メモリに格納する。そして、不揮発性メモリに格納された印字データを消去するための消去キーが操作されたときに、識別データを指示するキーで指示された識別データの印字データが不揮発性メモリから消去される。
と訂正する。
オ．訂正事項ｅ
　明細書の段落【００１１】の記載について、
「このように、外部から送信された印字データを、印字データのデータ量や急用性や記憶の必要性に基いて、送信するその都度不揮発性メモリに格納するか又は格納しないで印字するかを選択できるので、格納モードと印字モードとを適宜切換えることにより、日常業務において繰返し出力する必要がある定型文書は不揮発性メモリから読出して印字出力することができ、外部機器と印字装置との総合的な稼働能率及び作業能率が向上する。
　特に、並行処理手段は、印字データの印字手段への印字処理と不揮発性メモリへの格納処理とを並行して処理するので、印字データを印字出力する一方格納もすることができ、外部機器と印字装置との両方の稼働能率が向上する。」
とあるのを、
「このように、外部から送信された印字データを、印字データのデータ量や急用性や記憶の必要性に基いて、送信するその都度不揮発性メモリに格納するか又は格納しないで印字するかを選択できるので、格納モードと印字モードとを適宜切換えることにより、日常業務において繰返し出力する必要がある定型文書は不揮発性メモリから読出して印字出力することができ、外部機器と印字装置との総合的な稼働能率及び作業能率が向上する。
　特に、並行処理手段は、印字データの印字手段への印字処理と不揮発性メモリへの格納処理とを並行して処理するので、印字データを印字出力する一方格納もすることができ、外部機器と印字装置との両方の稼働能率が向上する。
　
また、識別データ格納手段は、印字データを識別する為の識別データを印字データに付随させて不揮発性メモリに格納するので、不揮発性メモリに複数の印字データを格納した場合でも、これら複数の印字データの各々を識別データで確実に識別できる。更に、消去キーと、識別データを指示するキーとにより、指示した識別データの印字データを不揮発性メモリから消去することができる。
と訂正する。
　
カ．訂正事項ｆ
　明細書の段落【００１２】の記載について、
「請求項３の印字装置においては、前記不揮発性メモリに格納された印字データを、受信した印字データの印字処理と合成印字させる合成制御手段を設けたので、受信した印字データと格納した印字データとを簡単に合成して印字できる。」
とあるのを、
「請求項
２
と訂正する。
　
キ．訂正事項ｇ
　明細書の段落【００１３】の記載について、
「請求項３の印字装置においては、前記印字データの不揮発性メモリへの格納が完了したときに、印字データを識別する為の識別データを印字データに付随させて不揮発性メモリに格納する識別データ格納手段を設けたので、不揮発性メモリに複数の印字データを格納した場合でも、これら複数の印字データの各々を識別データで確実に識別できる。」
とあるのを、
「請求項３の印字装置においては、
前記識別データ格納手段が、
格納するので、
と訂正する。
　
ク．訂正事項ｈ
　明細書の段落【００３３】の記載について、
「ここで、特許請求の範囲（請求項１）に記載した各手段と、上記実施例中の構成との対応関係について説明すると、設定手段に相当するものは、格納モードキーや印字キーなどを設けた操作パネル２３であり、読出し手段に相当するものは、格納データ印字処理制御における特にＳ６１・Ｓ６５であり、合成制御手段に相当するものは、印字処理制御における特にＳ４８〜Ｓ５０及び合成モードフラグＧＦであり、識別データ格納手段に相当するものは、印字処理制御における特にＳ４７及び格納処理制御における特にＳ５８である。並行処理手段に相当するものは、印字処理制御における特にＳ３８〜Ｓ４３である。」
とあるのを、
「ここで、特許請求の
範囲に
と訂正する。
　
ケ．訂正事項ｉ
　明細書の段落【００３５】の記載について、
「【発明の効果】　以上説明したように、請求項１の印字装置によれば、不揮発性メモリと、設定手段と、読出し手段とを設け、外部から送信された印字データを、印字データのデータ量や急用性や記憶の必要性に基いて、不揮発性メモリに格納しないで印字手段に印字させる印字モードか、又は送信するその都度印字手段に印字させると共に不揮発性メモリに格納する印字・格納モードかを選択できるので、印字モードと印字・格納モードとを適宜切換えることにより、外部機器と印字装置の総合的な稼働能率及び作業能率を向上させることができる。
　ここで、前記不揮発性メモリを電気的に消去でき且つ書込み可能なフラッシュＲＯＭで構成した場合には、大容量のデータを記憶でき、しかも安価にすることができる。
　特に、並行処理手段は、印字データの印字手段への印字処理と不揮発性メモリへの格納処理とを並行して処理するので、印字データを印字処理する一方格納もすることができ、外部機器と印字装置との両方の稼働能率を向上させることができる。」
とあるのを、
「【発明の効果】　以上説明したように、請求項１の印字装置によれば、不揮発性メモリと、設定手段と、読出し手段とを設け、外部から送信された印字データを、印字データのデータ量や急用性や記憶の必要性に基いて、不揮発性メモリに格納しないで印字手段に印字させる印字モードか、又は送信するその都度印字手段に印字させると共に不揮発性メモリに格納する印字・格納モードかを選択できるので、印字モードと印字・格納モードとを適宜切換えることにより、外部機器と印字装置の総合的な稼働能率及び作業能率を向上させることができる。
　ここで、前記不揮発性メモリを電気的に消去でき且つ書込み可能なフラッシュＲＯＭで構成した場合には、大容量のデータを記憶でき、しかも安価にすることができる。
　特に、並行処理手段は、印字データの印字手段への印字処理と不揮発性メモリへの格納処理とを並行して処理するので、印字データを印字処理する一方格納もすることができ、外部機器と印字装置との両方の稼働能率を向上させることができる。
　
また、識別データ格納手段は、印字データを識別する為の識別データを印字データに付随させて不揮発性メモリに格納するので、不揮発性メモリに複数の印字データを格納した場合でも、これら複数の印字データの各々を識別データで確実に識別できる。更に、消去キーと、識別データを指示するキーとにより、指示した識別データの印字データを不揮発性メモリから消去することができる。
と訂正する。
　
コ．訂正事項ｊ
　明細書の段落【００３６】の記載について、
「請求項３の印字装置によれば、前記不揮発性メモリに格納された印字データを、受信した印字データの印字処理に先行して又は後続して合成印字させる合成制御手段を設けたので、受信した印字データと格納した印字データとを簡単に合成して印字することができる。」
とあるのを、
「請求項
２
と訂正する。
　
サ．訂正事項ｋ
　明細書の段落【００３７】の記載について、
「請求項４の印字装置によれば、前記印字データの不揮発性メモリへの格納が完了したときに、印字データを識別する為の識別データを印字データに付随させて不揮発性メモリに格納する識別データ格納手段を設けたので、不揮発性メモリに複数の印字データを格納した場合でも、これら複数の印字データの各々を識別データで確実に識別することができる。」
とあるのを、
「請求項
３
前記識別データ格納手段が、
格納するので、
と訂正する。
　
シ．訂正事項ｌ
　【図面の簡単な説明】の記載について、
「【図１】請求項１の構成を示す機能ブロック図である。
【図２】レーザプリンタの制御系のブロック図である。
【図３】印字制御のルーチンの概略フローチャートである。
【図４】印字処理制御のルーチンの概略フローチャートである。
【図５】印字データ取込み処理制御のルーチンの概略フローチャートである。
【図６】ドットパターンデータ出力処理制御のルーチンの概略フローチャートで
ある。
【図７】格納処理制御のルーチンの概略フローチャートである。
【図８】格納データ印字処理制御のルーチンの概略フローチャートである。」
とあるのを、
「【図
１
【図
２
【図
３
【図
４
【図
５
ある。
【図
６
【図
７
と訂正する。
　
ス．訂正事項ｍ
　図面の【図１】ないし【図７】を添付の図面に訂正し、【図８】を削除する。
　
セ．訂正事項ｎ
　明細書の段落【００１４】の記載について、
「【実施例】
　以下、本発明の実施例について図面に基いて説明する。
　本実施例は、パーソナルコンピュータなどの外部機器から送信されたジョブの印字データを受信してプリントするレーザプリンタＬＰに本発明を適用した場合の実施例である。
　レーザプリンタＬＰの制御系について、図２のブロック図に基づいて説明するが、この制御系は基本的には一般的なレーザプリンタの制御系と同様なので簡単に説明するものとする。」
とあるのを、
「【実施例】
　以下、本発明の実施例について図面に基いて説明する。
　本実施例は、パーソナルコンピュータなどの外部機器から送信されたジョブの印字データを受信してプリントするレーザプリンタＬＰに本発明を適用した場合の実施例である。
　レーザプリンタＬＰの制御系について、図
１
と訂正する。
　
ソ．訂正事項ｏ
　明細書の段落【００１８】の記載について、
「次に、レーザプリンタＬＰのビデオコントローラ１１で行なわれる印字制御のルーチンについて、図３〜図６のフローチャートに基いて説明する。尚、外部機器からは、フォーマットデータに続いて印字する文書の文書データ（文字データ）が送信されるものとする。但し、図中符号Ｓｉ（ｉ＝１０、１１、１２・・・・）は各ステップである。
　レーザプリンタＬＰに電源が投入されるとこの制御が開始され、先ずＲＡＭ１６、１７をクリアするなどの初期設定が実行される（Ｓ10）。その後、操作パネル２３の何れかのキーが操作されたか否か判定され（Ｓ11）、操作されていないときには（Ｓ11：No）、印字データが受信されたか否か判定され（Ｓ23）、受信されていないときには（Ｓ23：No）、Ｓ１１に戻る。」
とあるのを、
「次に、レーザプリンタＬＰのビデオコントローラ１１で行なわれる印字制御のルーチンについて、
図２〜図５
　レーザプリンタＬＰに電源が投入されるとこの制御が開始され、先ずＲＡＭ１６、１７
をクリアするなどの初期設定が実行される（Ｓ10）。その後、操作パネル２３の何れかのキーが操作されたか否か判定され（Ｓ11）、操作されていないときには（Ｓ11：No）、印字データが受信されたか否か判定され（Ｓ23）、受信されていないときには（Ｓ23：No）、Ｓ１１に戻る。」
と訂正する。
　
タ．訂正事項ｐ
　明細書の段落【００２０】の記載について、
「ここで、外部機器から送信された印字データを受信したときに（Ｓ11：No、Ｓ23：Yes ）、格納モードフラグＭＦがリセットされているときには（Ｓ24：No）、通常の印字処理（図４参照）が実行される（Ｓ26）。
　この制御が開始されると、先ず印字データ取込み処理制御（図５参照）が実行される（Ｓ31）。
　この制御が開始されたときに、ＲＡＭ１６のデータバッファのデータに基づいてデータが存在するときには（Ｓ50：Yes ）、このデータバッファのデータのうち例えば１バイトずつ取込まれ（Ｓ51）、この制御を終了して印字処理制御のＳ32にリターンする。」
とあるのを、
「ここで、外部機器から送信された印字データを受信したときに（Ｓ11：No、Ｓ23：Yes ）、格納モードフラグＭＦがリセットされているときには（Ｓ24：No）、通常の印字処理（図
３
　この制御が開始されると、先ず印字データ取込み処理制御（図
４
　この制御が開始されたときに、ＲＡＭ１６のデータバッファのデータに基づいてデータが存在するときには（Ｓ50：Yes ）、このデータバッファのデータのうち例えば１バイトずつ取込まれ（Ｓ51）、この制御を終了して印字処理制御のＳ32にリターンする。」
と訂正する。
　
チ．訂正事項ｑ
　明細書の段落【００２２】の記載について、
「次に、この取込まれたデータが書式設定の為のフォーマットデータのときには（Ｓ40：Yes ）、そのフォーマットデータがＲＡＭ１７のフォーマットメモリに格納され（Ｓ41）、Ｓ31に戻る。また、取込まれたデータがフォーマットデータでもフォームフィードコマンド（ＦＦコマンド）データでもないときには（Ｓ40・Ｓ42：No）、文字データなので、その文字データがフォーマットデータで指示された文字サイズや書体に対応する文字幅データを付加してＲＡＭ１６のデータメモリに格納され（Ｓ43）、Ｓ31に戻る。
　そして、取込まれたデータからフォームフィードコマンドデータが読出され、あるいはデータ量が１頁分に達するのにともなって同コマンドが生成されたときには（Ｓ32・Ｓ35・Ｓ38・Ｓ40：No、Ｓ42：Yes ）、ドットパターンデータ出力処理制御（図６参照）が実行される（Ｓ44）。」
とあるのを、
「次に、この取込まれたデータが書式設定の為のフォーマットデータのときには（Ｓ40：Yes ）、そのフォーマットデータがＲＡＭ１７のフォーマットメモリに格納され（Ｓ41）、Ｓ31に戻る。また、取込まれたデータがフォーマットデータでもフォームフィードコマンド（ＦＦコマンド）データでもないときには（Ｓ40・Ｓ42：No）、文字データなので、その文字データがフォーマットデータで指示された文字サイズや書体に対応する文字幅データを付加してＲＡＭ１６のデータメモリに格納され（Ｓ43）、Ｓ31に戻る。
　そして、取込まれたデータからフォームフィードコマンドデータが読出され、あるいはデータ量が１頁分に達するのにともなって同コマンドが生成されたときには（Ｓ32・Ｓ35・Ｓ38・Ｓ40：No、Ｓ42：Yes ）、ドットパターンデータ出力処理制御（図
５
と訂正する。
　
ツ．訂正事項ｒ
　明細書の段落【００２５】の記載について、
「ところで、前記印字処理制御が開始されたときに、取込まれたデータが格納データ印字コマンドのときに（Ｓ32：Yes ）、並行処理モードフラグＨＦがセットされているときには（Ｓ33：Yes ）、この並行処理を優先させる為にＳ31に戻るが、並行処理モードフラグＨＦがセットされていないときは（Ｓ33：No）、格納データ印字処理制御（図８参照）が実行される（Ｓ34）。」
とあるのを、
「ところで、前記印字処理制御が開始されたときに、取込まれたデータが格納データ印字コマンドのときに（Ｓ32：Yes ）、並行処理モードフラグＨＦがセットされているときには（Ｓ33：Yes ）、この並行処理を優先させる為にＳ31に戻るが、並行処理モードフラグＨＦがセットされていないときは（Ｓ33：No）、格納データ印字処理制御（図
７
と訂正する。
　
テ．訂正事項ｓ
　明細書の段落【００２８】の記載について、
「ところで、外部機器から送信された印字データを受信したときに（Ｓ11：No、Ｓ23：Yes ）、格納モードが設定されているときには（Ｓ24：Yes ）、格納処理制御（図７参照）が実行される（Ｓ25）。
　この制御が開始されると、先ず受信した印字データが１バイトずつ取込まれ（Ｓ70）、この印字データが不揮発性メモリ２４に格納される（Ｓ71）。そして、終了キーが操作されていないときには（Ｓ72：No）、Ｓ70に戻る。一方、印字データの送信が終了したのに伴って、終了キーが操作されたときには（Ｓ72：Yes ）、格納番号キーで指示された格納番号のデータが今回送信された一連の印字データの先頭に追加格納され（Ｓ73）、この制御を終了して前記Ｓ11にリターンする。」
とあるのを、
「ところで、外部機器から送信された印字データを受信したときに（Ｓ11：No、Ｓ23：Yes ）、格納モードが設定されているときには（Ｓ24：Yes ）、格納処理制御（図
６
　この制御が開始されると、先ず受信した印字データが１バイトずつ取込まれ（Ｓ70）、この印字データが不揮発性メモリ２４に格納される（Ｓ71）。そして、終了キーが操作されていないときには（Ｓ72：No）、Ｓ70に戻る。一方、印字データの送信が終了したのに伴って、終了キーが操作されたときには（Ｓ72：Yes ）、格納番号キーで指示された格納番号のデータが今回送信された一連の印字データの先頭に追加格納され（Ｓ73）、この制御を終了して前記Ｓ11にリターンする。」
と訂正する。
　
ト．訂正事項ｔ
　明細書の段落【００２９】の記載について、
「次に、図３の印字制御において、印字キーが操作されたときには（Ｓ11：Yes 、Ｓ12・Ｓ14・Ｓ16・Ｓ18：No、Ｓ20：Yes ）、不揮発性メモリ２４に格納したデータを印字する格納データ印字処理（図８参照）が実行される（Ｓ21）。
　この制御は、前記Ｓ34で実行される制御と同様なので、その説明を省略する。そして、この制御が終了すると、前記Ｓ11にリターンする。
　ところで、操作されたキーが、格納モードキー、印字モードキー、消去キー、印字・格納モードキー及び印字キーでなく、例えば、格納番号キーが操作されたときには（Ｓ11：Yes 、Ｓ12・Ｓ14・Ｓ16・Ｓ18・Ｓ20：No）、格納番号キーに対応する格納番号を設定するなどの操作されたキーに対応する処理が実行され（Ｓ22）、Ｓ11に戻る。」
とあるのを、
「次に、図
２
７
　この制御は、前記Ｓ34で実行される制御と同様なので、その説明を省略する。そして、この制御が終了すると、前記Ｓ11にリターンする。
　ところで、操作されたキーが、格納モードキー、印字モードキー、消去キー、印字・格納モードキー及び印字キーでなく、例えば、格納番号キーが操作されたときには（Ｓ11：Yes 、Ｓ12・Ｓ14・Ｓ16・Ｓ18・Ｓ20：No）、格納番号キーに対応する格納番号を設定するなどの操作されたキーに対応する処理が実行され（Ｓ22）、Ｓ11に戻る。」
と訂正する。
　
（２）訂正の適否、新規事項の有無、及び特許請求の範囲の拡張・変更の存否
　上記訂正事項ａに関連する記載として、願書に添付した明細書には、「印字データを識別する為の識別データを印字データに付随させて不揮発性メモリに格納する識別データ格納手段」（段落【０００８】）、「印字データを不揮発性メモリ２４に格納する格納番号をテンキーを用いて指示する格納番号キー」（段落【００１６】）、「消去キーが操作されたときには（Ｓ11：Yes 、Ｓ12・Ｓ14：No、Ｓ16：Yes ）、不揮発性メモリ２４に格納された印字データのうち、格納番号キーで指示された番号の印字データをクリアする消去処理が実行され（Ｓ17）」（段落【００１９】）と記載されている。
　
（２−１）訂正事項ａについて
　上記訂正事項ａは、願書に添付した明細書に記載された事項の範囲内において、
前記印字データを識別する為の識別データを印字データに付随させて不揮発性メモリに格納する識別データ格納手段と、前記識別データを指示するキーと、前記不揮発性メモリに格納された印字データを消去するための消去キーと、前記消去キーが操作されたときに、前記キーで指示された前記識別データの印字データを前記不揮発性メモリから消去することを
　
（２−２）訂正事項ｂ〜ｅ、ｇ〜ｉについて
　上記訂正事項ｂ〜ｅ、ｇ〜ｉは、上記訂正事項ａと整合を図るもので、明りょうでない記載の釈明を目的とした明細書の訂正に該当する。
　
（２−３）訂正事項ｆ、ｊについて
　段落【００１２】、【００３６】の記載は、請求項２に関する記載であることは明らかであり、上記訂正事項ｆ、ｊは、誤記の訂正を目的とした明細書の訂正に該当する。
　
（２−４）訂正事項ｋについて
　段落【００３７】の記載は、請求項３に関する記載であることは明らかであるし、上記訂正事項ｋは、上記訂正事項ａと整合を図るものであるから、誤記の訂正及び明りょうでない記載の釈明を目的とした明細書の訂正に該当する。
　
（２−５）訂正事項ｌ、ｍについて
　上記訂正事項ｌ、ｍは、訂正事項ａの訂正に伴い、図１を削除し、図２以降を順次繰り上げるように訂正したものであるから、明りょうでない記載の釈明を目的とした明細書の訂正に該当する。
　
（２−６）訂正事項ｎ〜ｔについて
　上記訂正事項ｎ〜ｔは、上記訂正事項ｌ、ｍの訂正に伴い、図番号を訂正したものであるから、明りょうでない記載の釈明を目的とした明細書の訂正に該当する。
　
　よって、訂正事項ａ〜ｔのいずれも新規事項の追加に該当せず、実質的に特許請求の範囲を拡張または変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立についての判断
（１）申立の理由の概要
　異議申立人コニカ株式会社は、本件特許に対して、証拠として、甲第１号証（特開平４−３４６１８号公報）、甲第２号証（特開平４−３１４５５９号公報）、甲第３号証（特開平２−３８０７６号公報）、甲第４号証（特開平２−４３０７４号公報）を提出し、
　請求項１ないし３に係る発明の特許は、甲第１号証に記載された発明ないし甲第４号証に記載された発明に基づいて当業者が容易に発明をすることができたものであるから、特許法第２９条第２項の規定により特許を受けることができないものであることから、
　請求項１ないし３に係る発明の特許は、拒絶の査定をしなければならない特許出願に対してされたものであると主張している。
　
（２）本件発明
　上記２．で示したように上記訂正が認められるから、特許第３１５６８８８号の請求項１ないし３に係る発明は、上記訂正に係る訂正明細書の特許請求の範囲の請求項１ないし３に記載されたとおりのものである（上記、２．（１）ア．訂正事項ａ参照。以下、それぞれを「本件発明１」ないし「本件発明３」という。）。
　
（３）引用刊行物等
　刊行物１ないし４には、以下のような事項等が記載されている。
刊行物１：特開平４−３４６１８号公報（特許異議申立人が提出した甲第１号証）
ａ．「この発明においては、入出力先設定手段により印字情報の出力先が設定されていると、制御手段が設定された出力先に基づいてホストから入力された印字情報を外部記憶手段または印字手段に転送して、外部記憶手段に印字情報を書き換え可能に記憶させる。一方、入出力先設定手段により印字情報の入力先として外部記憶手段が設定されていると、制御手段が外部記憶手段またはホストから入力される印字情報の印字手段への転送を制御して、ホストより転送されて記憶された印字情報に基づく印字を随時実行することを可能とする。」（第２頁右上欄下から６行〜左下欄６行）、
ｂ．「第１図はこの発明の一実施例を示す印刷装置の構成を説明するブロック図であり、１はホストコンピュータで、プリントデータおよび制御コードよりなる印字情報を印刷装置２に所定のインタフェースケーブルを介して出力する。印刷装置２は、・・・印字手段を構成するプリンタ部（プリンタ）２３、・・・外部メモリインタフェース制御部２５からなる。・・・３は外部記憶手段となる外部メモリ部（外部メモリ）で、外部メモリインタフェース制御部２５に所定インタフェースボードまたはインタフェースケーブルを介して接続される。」（第２頁左下欄８行〜右下欄６行）、
ｃ．「外部メモリ部３は、・・・ホストよりの印字情報の格納、格納された印字情報の読出し、格納された印字情報の削除等が行われる。・・・外部メモリ部３内の印字情報は各印字情報の識別のためＩＤ番号を有し、印字情報の先頭にこのＩＤ番号が付加される。ＩＤ番号は外部メモリ３に印字情報が格納させる時、操作指示部２４によって設定され、同一外部メモリ部３内での同一ＩＤ番号は重複しないよう設定される。このように構成された印刷装置において、入力先設定手段となる操作指示部２４により印字情報の出力先が設定されていると、制御手段（制御部２１）が設定された出力先に基づいてホストコンピュータ１から入力された印字情報を外部記憶手段（外部メモリ部３）または印字手段（プリンタ部２３）に転送して、外部メモリ部３に印字情報を書き換え可能に記憶させる。一方、操作指示部２４により印字情報の入力先として外部メモリ部３が設定されていると、制御部２１が外部メモリ部３から読み出される印字情報のプリンタ部２３への転送を制御して、ホストコンピュータ１より転送されて記憶された印字情報に基づく印字をホストとの通信介在なしに随時実行することを可能とする。」（第３頁左上欄８行〜右上欄下から６行）、
ｄ．「第３図は、第１図に示した操作指示部２４による印字情報の出力先設定処理手順の一例を説明するフローチャートである。・・・（出力先の設定が外部メモリ部３であって、入力先の設定がホストコンピュータ１の場合）は、出力する印字情報のＩＤ番号の設定を操作指示部２４で行う（５）。次いで、設定されたＩＤ番号と同一のＩＤ番号が付加された印字情報が外部メモリ部３に存在するかどうかを判定（６）し、・・・ＹＥＳの場合は、既に外部メモリ部３に存在する同一のＩＤ番号の印字情報を削除するかどうかを判定し（７）、・・・ＹＥＳならば同一のＩＤ番号を削除し（８）、処理を終了する。」（第３頁左下欄下から７行〜右下欄最終行）、
ｅ．「第４図はこの発明に係る印刷装置における印字処理手順の一例を示すフローチャートである。・・・先ず、設定されている入力先がホストコンピュータ１かどうかを判定し（１）、ＹＥＳならばホストコンピュータ１からの印字情報の入力有無のチェックを行い（２）、・・・ＹＥＳならばホストコンピュータ１からの印字情報がある場合は、設定されている出力先のチェックを行い、出力先が外部メモリ部３かどうかを判定し・・・ＹＥＳならばホストコンピュータ１から入力された印字情報に設定されたＩＤ番号を付加して外部メモリ部３に格納する（４）。次いで、設定されている出力先がプリンタ部２３かどうかを判断し（５）、・・・ＹＥＳならば・・・プリンタ部２３での可視像形成を行い（７）、処理を終了する。なお、ステップ（２）、（５）で設定されている出力先を２回判定しているが、これは出力先の設定としてプリン部（注：プリンタ部の誤記と認められる。）２３と外部メモリ部３の両方の可能性があるからである。一方、ステップ（１）の判断でＮＯの場合は、・・・出力先がプリンタ部２３に設定されているかどうかを判定し（８）、・・・ＹＥＳならば・・・プリンタ部２３での可視像形成を行い（１０）、処理を終了する。」（第４頁左上欄１行〜右上欄１３行）、
ｆ．「上記実施例では外部メモリ部３の構成例として着脱式の記憶媒体を説明したが、外部メモリ部３をハードディクスで構成して、印刷装置２内に設ける構成であっても良い。」（第４頁右上欄下から２行〜左下欄３行）、
　上記記載ａ〜ｆを含む明細書及び図面によると、刊行物１には、下記の発明が記載されているものと認められる。
「ホストコンピュータからの印字情報をインタフェースケーブルを介して入力し、印字情報をプリンタ部に転送する印刷装置において、
　入力した印字情報を書き換え可能に記憶させる外部メモリ部と、
　ホストコンピュータからの印字情報がある場合、出力先がプリンタ部ならプリンタ部での可視像形成を行い、出力先がプリンタ部と外部メモリ部の両方の場合、プリンタ部での可視像形成を行い、設定されたＩＤ番号を付加して外部メモリに格納し、
　外部メモリ部から読み出される印字情報のプリンタ部への転送を制御し、
　外部メモリ部内の印字情報は各印字情報の識別のためＩＤ番号を有し、印字情報の先頭にこのＩＤ番号が付加され、
　ＩＤ番号の設定を操作指示部で行う
　印刷装置。」（以下、「刊行物１発明」という。）
刊行物２：特開平４−３１４５５９号公報（特許異議申立人が提出した甲第２号証）
ａ．「上位機器より送られて来る印字情報から対応する画像情報を生成し、この画像情報に従って用紙に印字処理を行うプリンタ装置に於いて、上位機器より送られて来る印字情報を解析して、対応する印字処理動作を指示する印字動作指定情報に変換する印字情報解析手段と、上記印字動作指定情報を記憶する小容量記憶手段と、用紙複数ページに相当する印字動作指定情報を記憶する記憶容量を有する大容量記憶手段と、上記印字情報解析手段で変換された印字動作指定情報を、用紙１ページに印字する量毎に区分して、上記小容量記憶手段及び大容量記憶手段に並行して書き込む書き込み制御手段と、上記大容量記憶手段に記憶された情報のページ区分を指定する印字ページ指定手段と、上記印字ページ指定手段によるページ区分の指定があった時、その指定されたページ区分の印字動作指定情報を上記大容量記憶手段より読出し、この読出した印字動作指定情報に従って画像情報を生成する画像情報生成手段と、を具備することを特徴とするプリンタ装置。」（特許請求の範囲）、
ｂ．「このようなページプリンタ１００に於いては、通常、Ｉ／Ｆコントローラ１１０内に、数百ＫＢの容量を有するページバッファ１１６を持っており、このバッファ１１６によって、ホストコンピュータ２００のデータ転送タイミングとプリンタ（ＰＲ）コントローラ（エンジン部コントローラ）１２２のメカ的印字タイミングを緩衝する役割をもっている。」（段落【０００４】）、
ｃ．「ページバッファ６３は、主記憶（ＲＡＭ３４）上にある先入れ先出しのバッファであり、コマンド解析実行プログラム処理部６１がページデータを書き込み、描画プログラム処理部６２が読み出す。描画プログラム処理部６２が、データを読み出すと、ページバッファ６３内のデータがあったエリアは、次の書き込みデータのために使われるために消去され、よって、１度読み出したデータを再度読み出すということはできない。
　ディスク３８ａは、コマンド解析実行プログラム処理部６１がページバッファ６３へ書くのと同じデータを書き込み保存しておく補助記憶メモリである。このディスク３８ａヘ書いたデータは、通常は読出されることはなく、操作パネル３７ａで指示があった場合、またはジャム等が発生して正常にデータが印字出力できなかった場合に、描画プログラム処理部６２が、必要なデータを検索して読み出す。また、このディスク３８ａへ書いたデータは、読み出されても消去されず、同じデータを何度でも読み出すことができる。
　なお、ページバッファ６３は、主記憶（ＲＡＭ３４）上の数百ＫＢのメモリであるため、アクセス速度は速いが、多数のページ分のデータを記憶するには容量が不足であり、１ページの印字情報量によって異なるが通常数ページ分のデータしか記憶できない。これに対して、ディスク３８ａは、アクセス速度は遅いが、数十ＭＢの記憶容量があるため、数十ページ分のデータを記憶できる。」（段落【００２４】〜【００２６】）。
　
刊行物３：特開平２−３８０７６号公報（特許異議申立人が提出した甲第３号証）
ａ．「上位装置からの印字データの印字を行なうプリンタ装置において、前記印字データをそのまま格納する着脱自在のデータ記憶手段と、前記データ記憶手段への前記印字データの書込みを行なうデータ書込み手段と、前記データ記憶手段から前記印字データの読出しを行なうデータ読出し手段と、前記印字データのコピーを指示・制御するコピー指示・制御手段とを備え、前記上位装置との接続なしで前記印字データのコピーができることを特徴とするプリンタ装置。」（特許請求の範囲）、
ｂ．「本発明のプリンタ装置・・・のデータ記憶手段は、上位装置における印字データをそのまま格納保持する。この格納は、上位装置内の印字データを最初に印字するときに同時に行なうことができ、また特に印字を行なわずに格納のみ行なうこともできる。」（第２頁左下欄９行〜１４行）。
　
刊行物４：特開平２−４３０７４号公報（特許異議申立人が提出した甲第４号証）
ａ．「ホストマシンからの印刷文字コード、イメージデータ等をコントローラ側でビットマップ展開するページプリンタにおいて、該ページプリンタに上記ホストマシンからの印刷文字コード、イメージデータ等をページ単位で合成、保存する手段およびそれらの合成、保存を実行するためのワーク手段を備え、これら手段を動作させる切替手段によりページプリンタにフォームオーバーレイ機能を持たせたことを特徴とするページプリンタ。」（特許請求の範囲）、
ｂ．「ワープロ等で（１）に示すように表（罫線１１）のみのデータを作成し、・・・ページプリンタ４のモード切替スイッチ５で合成モード６にしてこの罫線データを送信する（２）。・・・罫線データの転送が完了したら、この罫線データをページプリンタ内部に保存するため、モード切替スイッチ５を保存モード７とする（３）。次に、ページプリンタを連続して実行するため、連続ページ実行モード８に切替え、後で送信されてくるデータと既に保存した表のイメージを合成可能にする（４）。・・・受信データと表（イメージ）をプリンタ内部でビットマップ展開して合成し、印刷する（６）。」（第３頁左上欄１３行〜右上欄１１行）。
　
（４）対比・判断
　
（４−１）本件発明１について
　本件発明１と刊行物１発明とを対比する。
　刊行物１発明の、「印刷装置」、「印字情報」、「プリンタ部」は、それぞれの機能に照らし、それぞれ、本件発明１の「印字装置」、「印字データ」、「印字手段」に相当する。
　刊行物１発明の印刷装置は、「ホストコンピュータからの印字情報をインタフェースケーブルを介して入力」するものであるから、本件発明１のような「外部から送信された印字データを受信する為のインターフェース」を当然に有するものである。
　刊行物１発明の外部メモリ部は、入力した印字情報を書き換え可能に記憶させるものであるし、外部メモリが不揮発性メモリであるか否かは不明であるものの、刊行物１発明の外部メモリと本件発明１の不揮発性メモリは、「受信した印字データを格納する為の書込み可能」なメモリである点で共通する。
　刊行物１発明は、出力先がプリンタ部のみの場合には、外部メモリに格納を行わないものであり、出力先がプリンタ部と外部メモリ部の両方の場合、プリンタ部での可視像形成を行い、設定されたＩＤ番号を付加して外部メモリに格納するものである。すなわち、刊行物１発明は、出力先がプリンタ部のみの場合と、出力先がプリンタ部と外部メモリ部の両方の場合の設定が可能であるから、外部メモリが不揮発性メモリであるか否かは不明であるものの、本件発明１とは、受信した印字データをメモリに格納しないで印字手段に印字させる印字モードと、受信した印字データを印字手段に印字させると共にメモリに格納する印字・格納モードとを設定可能な設定手段を有するという点で共通する。
　刊行物１発明は、外部メモリ部から読み出される印字情報のプリンタ部への転送を制御する構成を有するものであるから、外部メモリが不揮発性メモリであるか否かは不明であるものの、本件発明１とは、メモリに格納された印字データを読出して印字手段に印字させる読出し手段を有するという点で共通する。
　刊行物１発明のＩＤ番号は、外部メモリ部内の印字情報の識別のために付加されるものであるから、外部メモリが不揮発性メモリであるか否かは不明であるものの、刊行物１発明においても、本件発明１のような印字データを識別する為の識別データを印字データに付随させてメモリに格納する識別データ格納手段に相当する構成を有するという点で共通する。
　刊行物１発明のＩＤ番号は、操作指示部で設定を行うものであるから、刊行物１発明の「操作指示部」は、本件発明１の「識別データを指示するキー」に相当する。
　
　してみると、本件発明１と刊行物１発明とは、
「外部から送信された印字データを受信する為のインターフェースと、この印字データを印字媒体に文字や画像として印字する印字手段とを備えた印字装置において、
　前記受信した印字データを格納する為の書込み可能なメモリと、
　前記受信した印字データを前記メモリに格納しないで前記印字手段に印字させる印字モードと、前記受信した印字データを前記印字手段に印字させると共に前記メモリに格納する印字・格納モードとを設定可能な設定手段と、
　前記メモリに格納された印字データを読出して前記印字手段に印字させる読出し手段と、
　前記印字データを識別する為の識別データを印字データに付随させてメモリに格納する識別データ格納手段と、
　前記識別データを指示するキー
　を備えたことを特徴とする印字装置。」
である点で、一致し、次の点で相違する。
　
［相違点１］
　本件発明１のメモリは、「不揮発性メモリ」であるのに対し、刊行物１発明のメモリは、「外部メモリ」であるという記載はあるものの、不揮発性メモリであるか否かは不明である点。
［相違点２］
　本件発明１は、「設定手段により印字・格納モードが設定された場合に、受信した印字データの印字手段の印字のための印字処理と、受信した印字データの不揮発性メモリへの格納処理とを並行して処理する並行処理手段」を有しているのに対し、刊行物１発明は、メモリが不揮発性メモリであるか否かは不明であり、印字・格納モードにおいては、印字処理と格納処理を行っているものの、それらの処理を並行して処理しているか否かは不明である点。
［相違点３］
　本件発明１は、「前記不揮発性メモリに格納された印字データを消去するための消去キーと、前記消去キーが操作されたときに、前記キーで指示された前記識別データの印字データを前記不揮発性メモリから消去する」構成を有するのに対し、刊行物１発明は、メモリが不揮発性メモリであるか否かは不明であり、識別データ、識別データを指示するキーに相当する構成は有するものの、消去キーや、識別データを指示するキーで指示された識別データの印字データを不揮発性メモリから消去する構成を有していない点。
　
　そこで、上記相違点について検討する。
　
［相違点１について］
　不揮発性メモリは、出願時に周知のメモリであり、外部メモリとして不揮発性メモリを採用することは当然に行われていることである。
［相違点２について］
　刊行物２には、上位機器より送られて来る印字情報から対応する画像情報を生成し、この画像情報に従って用紙に印字処理を行うプリンタ装置に於いて、ホストコンピュータ（上位機器）のデータ転送タイミングとプリンタ（ＰＲ）コントローラ（エンジン部コントローラ）のメカ的印字タイミングを緩衝する役割である印字動作指定情報を記憶する小容量記憶手段と、用紙複数ページに相当する印字動作指定情報を記憶する記憶容量を有する大容量記憶手段と、上記小容量記憶手段及び大容量記憶手段に並行して書き込む書き込み制御手段とを具備することを特徴とするプリンタ装置が記載されている。
　また、刊行物３には、上位装置からの印字データの印字を行なうプリンタ装置において、上位装置内の印字データを最初に印字するときに同時に格納する着脱自在のデータ記憶手段と、前記データ記憶手段への前記印字データの書込みを行なうデータ書込み手段と、前記データ記憶手段から前記印字データの読出しを行なうデータ読出し手段と、前記印字データのコピーを指示・制御するコピー指示・制御手段とを備え、前記上位装置との接続なしで前記印字データのコピーができることを特徴とするプリンタ装置が記載されている。
　すなわち、外部から送信された印字データを印字媒体に印字する印字手段を備えた印字装置において、受信した印字データの印字処理と、メモリへの格納処理とを並行して処理することは、上記刊行物２、３に見られるように、広く知られた構成であるし、メモリとして不揮発性メモリを採用することは当然に行われていることであるから、刊行物１発明において、設定手段により印字・格納モードが設定された場合に、受信した印字データの印字手段の印字のための印字処理と、受信した印字データの不揮発性メモリへの格納処理とを並行して処理する並行処理手段を有するようにした程度のことは容易に想到しうる程度のものに過ぎない。
　
［相違点３について］
　外部から送信された印字データを印字媒体に印字する印字手段を備えた構成において、識別データを付随させて印字データを格納し、識別データを指示することにより識別データの印字データを消去する構成は、周知の構成である（例えば、特開平４−３１７２５１号公報（通信番号入力と消去指示に基づいて、画像メモリ内の画像情報を消去する構成。）、特開平４−１８０４５８号公報（文書番号リストのキーを押すと、第５図のような表示が表れ、テンキーから番号を入力し、スタートキーを押すと、該文書番号の文書を消去する構成。）、特開平４−１７０１５３号公報（受信した画情報にファイル番号を付与し、記憶し、任意のファイル番号を選択し、消去を指定すると選択されたファイル番号の画像ファイルを消去する構成。）等を参照。）。
　そうすると、メモリとして不揮発性メモリを採用することは当然に行われていることであるから、刊行物１発明においても、不揮発性メモリに格納された印字データを消去するための消去キーと、消去キーが操作されたときに、キーで指示された識別データの印字データを不揮発性メモリから消去する構成を有するようにした程度のことは容易に想到しうる程度のものに過ぎない。
　
　そして、上記相違点１〜３を備えた本件発明１の作用効果は、各刊行物に記載されたもの及び周知の構成から予測しうる程度のものにすぎない。
　
　したがって、本件発明１は、上記刊行物１ないし３に記載された発明及び周知の構成に基づいて当業者が容易に発明をすることができたものである。
　
（４−２）本件発明２について
　本件発明２は、本件発明１に、不揮発性メモリに格納された印字データを、受信した印字データと合成印字させる合成制御手段を設けた点を技術的に限定したものである。
　そこで、本件発明２と刊行物１発明とを対比すると、上記（４−１）にて検討した相違点以外に、次の点で相違する。
　
［相違点４］
　刊行物１発明は、不揮発性メモリに格納された印字データを、受信した印字データと合成印字させる合成制御手段を有していない点。
　
　しかしながら、刊行物４には、後で送信されてくるデータと既に保存したイメージを合成し、印刷するプリンタが記載されている。
　すなわち、刊行物１発明において、不揮発性メモリに格納された印字データを、受信した印字データと合成印字させる合成制御手段を設けるようにした程度のことは容易に想到しうる程度のものに過ぎない。
　
　そして、上記相違点１〜４を備えた本件発明２の作用効果は、各刊行物に記載されたもの及び周知の構成から予測しうる程度のものにすぎない。
　
　したがって、本件発明２は、上記刊行物１ないし４に記載された発明及び周知の構成に基づいて当業者が容易に発明をすることができたものである。
　
（４−３）本件発明３について
　本件発明３は、本件発明１に、識別データ格納手段は、印字データの不揮発性メモリへの格納が完了したときに、印字データを識別する為の識別データを印字データに付随させて不揮発性メモリに格納する点を技術的に限定したものである。
　しかしながら、上記（４−１）にて検討したように、刊行物１発明も、印字データを識別する為の識別データを印字データに付随させてメモリに格納するものであるし、「外部メモリ部３内の印字情報は各印字情報の識別のためＩＤ番号を有し、印字情報の先頭にこのＩＤ番号が付加される。ＩＤ番号は外部メモリ３に印字情報が格納させる（注：格納されるの誤記と認められる。）時、操作指示部２４によって設定され、」（上記３．（３）刊行物１ｃ．参照。）なる記載から鑑みて、刊行物１発明は、外部メモリに印字情報が格納されるときに、ＩＤ番号が設定されるものであり、どの時点でＩＤ番号が付与されるのかが不明ではあるものの、一般に、メモリ内に外部からのデータを格納し、識別データを付与する際には、データの格納が完了してから識別データを付与することは良く行われていることであるから、印字データの不揮発性メモリへの格納が完了したときに、印字データを識別する為の識別データを印字データに付随させて不揮発性メモリに格納する程度のことは刊行物１発明より容易に想到しうる程度のものに過ぎない。
　
　そして、上記相違点１〜３を備えた本件発明３の作用効果は、各刊行物に記載されたもの及び周知の構成から予測しうる程度のものにすぎない。
　
　したがって、本件発明３は、上記刊行物１ないし３に記載された発明及び周知の構成に基づいて当業者が容易に発明をすることができたものである。
　
（５）特許権者が特許異議意見書において主張する点について
　特許権者は、平成１４年３月２５日付け特許異議意見書において、「刊行物１乃至４のいずれにおいても、本件の請求項１における「不揮発性メモリに格納された印字データを消去するための消去キーが操作されたときに、識別データを指示するキーで指示された識別データの印字データが不揮発性メモリから消去する」という構成は記載されていないので、刊行物１乃至４をどのように組み合わせたとしても、本件の請求項１における「不揮発性メモリに格納された印字データを消去するための消去キーが操作されたときに、識別データを指示するキーで指示された識別データの印字データが不揮発性メモリから消去する」という構成は想定させるものではなく、上述したような本件の請求項１の独特の作用効果についても示唆すらされません。」（第８頁１３行〜２１行）と主張し、「本件の請求項１の発明では、不揮発性メモリに格納された印字データを消去するための消去キーが操作されたときに、識別データを指示するキーで指示された識別データの印字データが不揮発性メモリから消去されるので、使用者が所望するときに、印字装置単体で所望の印字データを消去することができます。・・・そのため、使用者の使い勝手が良く、外部機器、印字装置、使用者の総合的な作業効率の向上を図ることができます。」（第６頁９行〜１５行）と主張している。
　しかしながら、上記構成については、（４−１）にて検討したように、出願時に周知の構成であるし、特許権者が主張している作用効果についても、周知の構成から予測しうる程度のものにすぎない。
　したがって、この主張を採用することはできない。
　
（６）むすび
　以上のとおりであるから、本件請求項１ないし３に係る発明は、特許法第２９条第２項の規定により特許を受けることはできない。
　したがって、本件請求項１ないし３に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年６月１７日（２００２．６．１７）
【訂正の要旨】
訂正の要旨
　本件訂正は、特許請求の範囲の減縮、特許請求の範囲及び詳細な説明の明瞭でない記載の釈明、誤記の訂正を目的として、願書に添付した明細書の記載を以下のア乃至トのように訂正するものである。
ア．特許請求の範囲の記載について、
「【請求項１】　外部から送信された印字データを受信する為のインターフェースと、この印字データを印字媒体に文字や画像として印字する印字手段とを備えた印字装置において、
　前記受信した印字データを格納する為の書込み可能な不揮発性メモリと、
　前記受信した印字データを前記不揮発性メモリに格納しないで前記印字手段に印字させる印字モードと、前記受信した印字データを前記印字手段に印字させると共に前記不揮発性メモリに格納する印字・格納モードとを設定可能な設定手段と、
　前記不揮発性メモリに格納された印字データを読出して前記印字手段に印字させる読出し手段と、
　前記設定手段により印字・格納モードが設定された場合に、前記受信した印字データの前記印字手段の印字のための印字処理と、前記受信した印字データの前記不揮発性メモリへの格納処理とを並行して処理する並行処理手段と、
　前記印字データを識別する為の識別データを印字データに付随させて不揮発性メモリに格納する識別データ格納手段と、
　前記識別データを指示するキーと、
　前記不揮発性メモリに格納された印字データを消去するための消去キーと、
　前記消去キーが操作されたときに、前記キーで指示された前記識別データの印字データを前記不揮発性メモリから消去すること
　を備えたことを特徴とする印字装置。
　【請求項２】　前記不揮発性メモリに格納された印字データを、受信した印字データと合成印字させる合成制御手段を設けたことを特徴とする請求項１に記載の印字装置。
　【請求項３】　前記識別データ格納手段は、前記印字データの不揮発性メモリへの格納が完了したときに、印字データを識別する為の識別データを印字データに付随させて不揮発性メモリに格納することを特徴とする請求項１に記載の印字装置。」
と訂正する。
イ．明細書の段落【０００６】の記載について、
「【課題を解決するための手段】
　請求項１の印字装置は、外部から送信された印字データを受信する為のインターフェースと、この印字データを印字媒体に文字や画像として印字する印字手段とを備えた印字装置において、前記受信した印字データを格納する為の書込み可能な不揮発性メモリと、前記受信した印字データを前記不揮発性メモリに格納しないで前記印字手段に印字させる印字モードと、前記受信した印字データを前記印字手段に印字させると共に前記不揮発性メモリに格納する印字・格納モードとを設定可能な設定手段と、前記不揮発性メモリに格納された印字データを読出して前記印字手段に印字させる読出し手段と、前記設定手段により印字・格納モードが設定された場合に、前記受信した印字データの前記印字手段の印字のための印字処理と、前記受信した印字データの前記不揮発性メモリへの格納処理とを並行して処理する並行処理手段と、前記印字データを識別する為の識別データを印字データに付随させて不揮発性メモリに格納する識別データ格納手段と、前記識別データを指示するキーと、前記不揮発性メモリに格納された印字データを消去するための消去キーと、前記消去キーが操作されたときに、前記キーで指示された前記識別データの印字データを前記不揮発性メモリから消去するものである。」
と訂正する。
ウ．明細書の段落【０００８】の記載について、
「請求項３の印字装置は、請求項１の印字装置において、前記識別データ格納手段が、前記印字データの不揮発性メモリへの格納が完了したときに、印字データを識別する為の識別データを印字データに付随させて不揮発性メモリに格納するものである。」
と訂正する。
エ．明細書の段落【０００９】の記載について、
「【作用】
　請求項１の印字装置においては、設定手段で印字・格納モードが設定されると、インターフェースを介して受信した印字データは、印字手段に出力されると共に不揮発性メモリに書込まれる。一方、設定手段で印字モードが設定されると、受信した印字データを不揮発性メモリに格納することなく印字手段に出力させる。読出し手段は、その不揮発性メモリに格納された印字データを読出して印字手段に印字させる。印字手段は不揮発性メモリから読出された印字データあるいはインターフェースを介して受信した印字データを印字媒体に文字や画像として印字する。そして、設定手段により印字・格納モードが設定された場合、並行処理手段が、受信した印字データの印字処理と、受信した印字データの不揮発性メモリへの格納処理とを並行して処理する。識別データ格納手段は、印字データを識別する為の識別データを印字データに付随させて不揮発性メモリに格納する。そして、不揮発性メモリに格納された印字データを消去するための消去キーが操作されたときに、識別データを指示するキーで指示された識別データの印字データが不揮発性メモリから消去される。」
と訂正する。
オ．明細書の段落【００１１】の記載について、
「このように、外部から送信された印字データを、印字データのデータ量や急用性や記憶の必要性に基いて、送信するその都度不揮発性メモリに格納するか又は格納しないで印字するかを選択できるので、格納モードと印字モードとを適宜切換えることにより、日常業務において繰返し出力する必要がある定型文書は不揮発性メモリから読出して印字出力することができ、外部機器と印字装置との総合的な稼働能率及び作業能率が向上する。
　特に、並行処理手段は、印字データの印字手段への印字処理と不揮発性メモリヘの格納処理とを並行して処理するので、印字データを印字出力する一方格納もすることができ、外部機器と印字装置との両方の稼働能率が向上する。
　また、識別データ格納手段は、印字データを識別する為の識別データを印字データに付随させて不揮発性メモリに格納するので、不揮発性メモリに複数の印字データを格納した場合でも、これら複数の印字データの各々を識別データで確実に識別できる。更に、消去キーと、識別データを指示するキーとにより、指示した識別データの印字データを不揮発性メモリから消去することができる。」
と訂正する。
カ．明細書の段落【００１２】の記載について、
「請求項２の印字装置においては、前記不揮発性メモリに格納された印字データを、受信した印字データの印字処理と合成印字させる合成制御手段を設けたので、受信した印字データと格納した印字データとを簡単に合成して印字できる。」
と訂正する。
キ．明細書の段落【００１３】の記載について、
「請求項３の印字装置においては、前記識別データ格納手段が、前記印字データの不揮発性メモリへの格納が完了したときに、印字データを識別する為の識別データを印字データに付随させて不揮発性メモリに格納するので、不揮発性メモリに複数の印字データを格納した場合でも、これら複数の印字データの各々を識別データで確実に識別できる。」
と訂正する。
ク．明細書の段落【００３３】の記載について、
「ここで、特許請求の範囲に記載した各手段と、上記実施例中の構成との対応関係について説明すると、設定手段に相当するものは、格納モードキーや印字キーなどを設けた操作パネル２３であり、読出し手段に相当するものは、格納データ印字処理制御における特にＳ６１・Ｓ６５であり、合成制御手段に相当するものは、印字処理制御における特にＳ４８〜Ｓ５０及び合成モードフラグＧＦであり、識別データ格納手段に相当するものは、印字処理制御における特にＳ４７及び格納処理制御における特にＳ５８である。並行処理手段に相当するものは、印字処理制御における特にＳ３８〜Ｓ４３である。」
と訂正する。
ケ．明細書の段落【００３５】の記載について、
「【発明の効果】　以上説明したように、請求項１の印字装置によれば、不揮発性メモリと、設定手段と、読出し手段とを設け、外部から送信された印字データを、印字データのデータ量や急用性や記憶の必要性に基いて、不揮発性メモリに格納しないで印字手段に印字させる印字モードか、又は送信するその都度印字手段に印字させると共に不揮発性メモリに格納する印字・格納モードかを選択できるので、印字モードと印字・格納モードとを適宜切換えることにより、外部機器と印字装置の総合的な稼働能率及び作業能率を向上させることができる。
　ここで、前記不揮発性メモリを電気的に消去でき且つ書込み可能なフラッシュＲＯＭで構成した場合には、大容量のデータを記憶でき、しかも安価にすることができる。
　特に、並行処理手段は、印字データの印字手段への印字処理と不揮発性メモリへの格納処理とを並行して処理するので、印字データを印字処理する一方格納もすることができ、外部機器と印字装置との両方の稼働能率を向上させることができる。
　また、識別データ格納手段は、印字データを識別する為の識別データを印字データに付随させて不揮発性メモリに格納するので、不揮発性メモリに複数の印字データを格納した場合でも、これら複数の印字データの各々を識別データで確実に識別できる。更に、消去キーと、識別データを指示するキーとにより、指示した識別データの印字データを不揮発性メモリから消去することができる。」
と訂正する。
コ．明細書の段落【００３６】の記載について、
「請求項２の印字装置によれば、前記不揮発性メモリに格納された印字データを、受信した印字データの印字処理に先行して又は後続して合成印字させる合成制御手段を設けたので、受信した印字データと格納した印字データとを簡単に合成して印字することができる。」
と訂正する。
サ．明細書の段落【００３７】の記載について、
「請求項３の印字装置によれば、前記識別データ格納手段が、前記印字データの不揮発性メモリへの格納が完了したときに、印字データを識別する為の識別データを印字データに付随させて不揮発性メモリに格納するので、不揮発性メモリに複数の印字データを格納した場合でも、これら複数の印字データの各々を識別データで確実に識別することができる。」
と訂正する。
シ．【図面の簡単な説明】の記載について、
「【図１】レーザプリンタの制御系のブロック図である。
　【図２】印字制御のルーチンの概略フローチャートである。
　【図３】印字処理制御のルーチンの概略フローチャートである。
　【図４】印字データ取込み処理制御のルーチンの概略フローチャートである。
　【図５】ドットパターンデータ出力処理制御のルーチンの概略フローチャートである。
　【図６】格納処理制御のルーチンの概略フローチャートである。
　【図７】格納データ印字処理制御のルーチンの概略フローチャートである。」
と訂正する。
ス．図面の【図１】ないし【図７】を添付の図面に訂正し、【図８】を削除する。
セ．明細書の段落【００１４】の記載について、
「【実施例】
　以下、本発明の実施例について図面に基いて説明する。
　本実施例は、パーソナルコンピュータなどの外部機器から送信されたジョブの印字データを受信してプリントするレーザプリンタＬＰに本発明を適用した場合の実施例である。
　レーザプリンタＬＰの制御系について、図１のブロック図に基づいて説明するが、この制御系は基本的には一般的なレーザプリンタの制御系と同様なので簡単に説明するものとする。」
と訂正する。
ソ．明細書の段落【００１８】の記載について、
「次に、レーザプリンタＬＰのビデオコントローラ１１で行なわれる印字制御のルーチンについて、図２〜図５のフローチャートに基いて説明する。尚、外部機器からは、フォーマットデータに続いて印字する文書の文書データ（文字データ）が送信されるものとする。但し、図中符号Ｓｉ（ｉ＝１０、１１、１２・・・・）は各ステップである。
　レーザプリンタＬＰに電源が投入されるとこの制御が開始され、先ずＲＡＭ１６、１７をクリアするなどの初期設定が実行される（Ｓ１０）。その後、操作パネル２３の何れかのキーが操作されたか否か判定され（Ｓ１１）、操作されていないときには（Ｓ１１：Ｎｏ）、印字データが受信されたか否か判定され（Ｓ２３）、受信されていないときには（Ｓ２３：Ｎｏ）、Ｓ１１に戻る。」
と訂正する。
タ．明細書の段落【００２０】の記載について、
「ここで、外部機器から送信された印字データを受信したときに（Ｓ１１：Ｎｏ、Ｓ２３：Ｙｅｓ）、格納モードフラグＭＦがリセットされているときには（Ｓ２４：Ｎｏ）、通常の印字処理（図３参照）が実行される（Ｓ２６）。
　この制御が開始されると、先ず印字データ取込み処理制御（図４参照）が実行される（Ｓ３１）。
　この制御が開始されたときに、ＲＡＭ１６のデータバッファのデータに基づいてデータが存在するときには（Ｓ５０：Ｙｅｓ）、このデータバッファのデータのうち例えば１バイトずつ取込まれ（Ｓ５１）、この制御を終了して印字処理制御のＳ３２にリターンする。」
と訂正する。
チ．明細書の段落【００２２】の記載について、
「次に、この取込まれたデータが書式設定の為のフォーマットデータのときには（Ｓ４０：Ｙｅｓ）、そのフォーマットデータがＲＡＭ１７のフォーマットメモリに格納され（Ｓ４１）、Ｓ３１に戻る。また、取込まれたデータがフォーマットデータでもフォームフィードコマンド（ＦＦコマンド）データでもないときには（Ｓ４０・Ｓ４２：Ｎｏ）、文字データなので、その文字データがフォーマットデータで指示された文字サイズや書体に対応する文字幅データを付加してＲＡＭ１６のデータメモリに格納され（Ｓ４３）、Ｓ３１に戻る。
　そして、取込まれたデータからフォームフィードコマンドデータが読出され、あるいはデータ量が１頁分に達するのにともなって同コマンドが生成されたときには（Ｓ３２・Ｓ３５・Ｓ３８・Ｓ４０：Ｎｏ、Ｓ４２：Ｙｅｓ）、ドットパターンデータ出力処理制御（図５参照）が実行される（Ｓ４４）。」
と訂正する。
ツ．明細書の段落【００２５】の記載について、
「ところで、前記印字処理制御が開始されたときに、取込まれたデータが格納データ印字コマンドのときに（Ｓ３２：Ｙｅｓ）、並行処理モードフラグＨＦがセットされているときには（Ｓ３３：Ｙｅｓ）、この並行処理を優先させる為にＳ３１に戻るが、並行処理モードフラグＨＦがセットされていないときは（Ｓ３３：Ｎｏ）、格納データ印字処理制御（図７参照）が実行される（Ｓ３４）。」
と訂正する。
テ．明細書の段落【００２８】の記載について、
「ところで、外部機器から送信された印字データを受信したときに（Ｓ１１：Ｎｏ、Ｓ２３：Ｙｅｓ）、格納モードが設定されているときには（Ｓ２４：Ｙｅｓ）、格納処理制御（図６参照）が実行される（Ｓ２５）。
　この制御が開始されると、先ず受信した印字データが１バイトずつ取込まれ（Ｓ７０）、この印字データが不揮発性メモリ２４に格納される（Ｓ７１）。そして、終了キーが操作されていないときには（Ｓ７２：Ｎｏ）、Ｓ７０に戻る。一方、印字データの送信が終了したのに伴って、終了キーが操作されたときには（Ｓ７２：Ｙｅｓ）、格納番号キーで指示された格納番号のデータが今回送信された一連の印字データの先頭に追加格納され（Ｓ７３）、この制御を終了して前記Ｓ１１にリターンする。」
と訂正する。
ト．明細書の段落【００２９】の記載について、
「次に、図２の印字制御において、印字キーが操作されたときには（Ｓ１１：Ｙｅｓ、Ｓ１２・Ｓ１４・Ｓ１６・Ｓ１８：Ｎｏ、Ｓ２０：Ｙｅｓ）、不揮発性メモリ２４に格納したデータを印字する格納データ印字処理（図７参照）が実行される（Ｓ２１）。
　この制御は、前記Ｓ３４で実行される制御と同様なので、その説明を省略する。そして、この制御が終了すると、前記Ｓ１１にリターンする。
　ところで、操作されたキーが、格納モードキー、印字モードキー、消去キー、印字・格納モードキー及び印字キーでなく、例えば、格納番号キーが操作されたときには（Ｓ１１：Ｙｅｓ、Ｓ１２・Ｓ１４・Ｓ１６・Ｓ１８・Ｓ２０：Ｎｏ）、格納番号キーに対応する格納番号を設定するなどの操作されたキーに対応する処理が実行され（Ｓ２２）、Ｓ１１に戻る。」
と訂正する。
（５４）【発明の名称】
印字装置
（５７）【特許請求の範囲】
　【請求項１】　外部から送信された印字データを受信する為のインターフェースと、この印字データを印字媒体に文字や画像として印字する印字手段とを備えた印字装置において、
　前記受信した印字データを格納する為の書込み可能な不揮発性メモリと、
　前記受信した印字データを前記不揮発性メモリに格納しないで前記印字手段に印字させる印字モードと、前記受信した印字データを前記印字手段に印字させると共に前記不揮発性メモリに格納する印字・格納モードとを設定可能な設定手段と、
　前記不揮発性メモリに格納された印字データを読出して前記印字手段に印字させる読出し手段と、
　前記設定手段により印字・格納モードが設定された場合に、前記受信した印字データの前記印字手段の印字のための印字処理と、前記受信した印字データの前記不揮発性メモリへの格納処理とを並行して処理する並行処理手段と、
　
前記印字データを識別する為の識別データを印字データに付随させて不揮発性メモリに格納する識別データ格納手段と、
　
前記識別データを指示するキーと、
　
前記不揮発性メモリに格納された印字データを消去するための消去キーと、
　
前記消去キーが操作されたときに、前記キーで指示された前記識別データの印字データを前記不揮発性メモリから消去すること
　を特徴とする印字装置。
　【請求項２】　前記不揮発性メモリに格納された印字データを、受信した印字データと合成印字させる合成制御手段を設けたことを特徴とする請求項１に記載の印字装置。
　【請求項３】　
前記識別データ格納手段は、
格納すること
【発明の詳細な説明】
　【０００１】
　【産業上の利用分野】
　本発明は、外部機器から受信した印字データを印字する印字装置に関し、特に受信した印字データを記憶するか又は記憶しないで印字するかを選択できるようにしたものに関する。
　【０００２】
　【従来の技術】
　最近、企業などにおいてオフィスオートメーションの進展に伴い、パーソナルコンピュータやワークステーションを導入する一方、これらコンピュータ等とレーザプリンタやドットプリンタなどの高速印字が可能な印字装置とをネットワークシステムとして同一ケーブルで接続するようにし、コンピュータ等に記憶させた所望の印字データを送信して印字装置で印字処理可能になっている。
　ところで、この種の印字装置に記憶装置を搭載し、受信した印字データを一旦この記憶装置に記憶させるようにした印字装置が種々提案されている。
　【０００３】
　例えば、特開平１―２６３０６４号公報には、外部機器から送信された印字データを記憶するフロッピーディスク装置と印字部と制御部とを備え、印字処理に際しては、先ず外部機器から印字データを送信する一方、この受信した印字データがフロッピーディスク装置に記憶され、記憶完了後にこのフロッピーディスク装置に記憶された印字データを読出して印字処理するようにし、外部機器の稼働能率を向上できるようにしたプリンタ装置が記載されている。
　尚、実開昭６１―４６６３２号公報には、受信した印字データを記憶する為のプリンタバッファが記載されている。
　【０００４】
　【発明が解決しようとする課題】
　前記特開平１―２６３０６４号公報に記載のプリンタ装置においては、外部機器から印字データが送信される毎に、その送信された印字データの全てをフロッピーディスク装置に一旦記憶するようにし、印字データの記憶が完了するまで印字処理を実行できないことから、プリントアウトまでの所要時間が長期化し、印字装置の稼働能率が低下すること、などの問題がある。
　【０００５】
　本発明の目的は、外部機器から送信する印字データのデータ量や記憶の必要性に基いて、外部機器と印字装置との総合的な稼働能率及び作業能率の向上を図れるような印字装置を提供することである。
　【０００６】
　【課題を解決するための手段】
　請求項１の印字装置
は、外部
前記印字データを識別する為の識別データを印字データに付随させて不揮発性メモリに格納する識別データ格納手段と、前記識別データを指示するキーと、前記不揮発性メモリに格納された印字データを消去するための消去キーと、前記消去キーが操作されたときに、前記キーで指示された前記識別データの印字データを前記不揮発性メモリから消去する
　【０００７】
　請求項２の印字装置は、請求項１の印字装置
において、前記
　【０００８】
　請求項３の印字装置
は、請求項１
前記識別データ格納手段が、
格納するもの
　【０００９】
　【００１０】
　【作用】
　請求項１の印字装置においては、設定手段で印字・格納モードが設定されると、インターフェースを介して受信した印字データは、印字手段に出力されると共に不揮発性メモリに書込まれる。一方、設定手段で印字モードが設定されると、受信した印字データを不揮発性メモリに格納することなく印字手段に出力させる。読出し手段は、その不揮発性メモリに格納された印字データを読出して印字手段に印字させる。印字手段は不揮発性メモリから読出された印字データあるいはインターフェースを介して受信した印字データを印字媒体に文字や画像として印字する。そして、設定手段により印字・格納モードが設定された場合、並行処理手段が、受信した印字データの印字処理と、受信した印字データの不揮発性メモリへの格納処理とを並行して処理する。
識別データ格納手段は、印字データを識別する為の識別データを印字データに付随させて不揮発性メモリに格納する。そして、不揮発性メモリに格納された印字データを消去するための消去キーが操作されたときに、識別データを指示するキーで指示された識別データの印字データが不揮発性メモリから消去される。
　【００１１】
　このように、外部から送信された印字データを、印字データのデータ量や急用性や記憶の必要性に基いて、送信するその都度不揮発性メモリに格納するか又は格納しないで印字するかを選択できるので、格納モードと印字モードとを適宜切換えることにより、日常業務において繰返し出力する必要がある定型文書は不揮発性メモリから読出して印字出力することができ、外部機器と印字装置との総合的な稼働能率及び作業能率が向上する。
　特に、並行処理手段は、印字データの印字手段への印字処理と不揮発性メモリへの格納処理とを並行して処理するので、印字データを印字出力する一方格納もすることができ、外部機器と印字装置との両方の稼働能率が向上する。
　
また、識別データ格納手段は、印字データを識別する為の識別データを印字データに付随させて不揮発性メモリに格納するので、不揮発性メモリに複数の印字データを格納した場合でも、これら複数の印字データの各々を識別データで確実に識別できる。更に、消去キーと、識別データを指示するキーとにより、指示した識別データの印字データを不揮発性メモリから消去することができる。
　【００１２】
　請求項
２
　【００１３】
　請求項３の印字装置においては、
前記識別データ格納手段が、
格納するので、
　【００１４】
　【実施例】
　以下、本発明の実施例について図面に基いて説明する。
　本実施例は、パーソナルコンピュータなどの外部機器から送信されたジョブの印字データを受信してプリントするレーザプリンタＬＰに本発明を適用した場合の実施例である。
　レーザプリンタＬＰの制御系について、図
１
　【００１５】
　このレーザプリンタＬＰのコントロールユニット１０は、ビデオコントローラ１１と、ＤＣコントローラ１２とを備えている。
　前記ビデオコントローラ１１は、ＣＰＵ１３と、印字制御プログラムや種々の制御プログラムなどが格納されているＲＯＭ１４と、文字や記号の多数のキャラクタの輪郭線を規定する輪郭線データ（アウトラインデータ）が格納されたＲＯＭ１５、外部機器から送信された印字データを所定容量分格納するデータバッファやデータメモリが設けられたＲＡＭ１６と、この受信した印字データを繰り返して印字し得るように記憶する書込み可能な不揮発性メモリであるＲＯＭ２４と、データメモリ又は不揮発性メモリに格納されたデータに基いて作成されたドットデータが格納される印字バッファや、フォーマットデータを格納するフォーマットデータメモリや、各種のフラグのデータを格納するフラグメモリなどを含むワークメモリ用のＲＡＭ１７と、ＲＡＭ１６にデータを書き込み／読出すときにタイミング信号を発生するタイミング制御回路１８と、外部機器から送信される印字データを受信するセントロニクス用インターフェース（Ｉ／Ｆ）１９と、デュアルポートＲＡＭ（ＦＩＦＯメモリ）から構成される４Ｋバイトの２つのスキャンバッファを有しドットデータに変換された印字情報を順次ＤＣコントローラ１２へ出力するビデオインターフェース（Ｖ・Ｉ／Ｆ）２０と、操作パネル２３からの信号を受信するパネルインターフェース（Ｐ・Ｉ／Ｆ）２１とを備えており、これらはデータバスなどのバス２２を介して夫々接続されている。
　【００１６】
　尚、前記不揮発性メモリ（ＲＯＭ２４）は、電気的に消去可能な「ＥＥＰＲＯＭ」であり、一般にフラッシュＲＯＭとも呼ばれている。
　ここで、前記ＲＯＭ１４には、外部機器から送信された印字データを処理する為に、制御コマンド体系である印字制御言語インタプリタが格納されているが、本発明に直接関係しないので、その詳しい説明を省略する。
　前記操作パネル２３には、受信した印字データをＲＯＭ２４に記憶させないで印字する印字モードを設定する為の印字モードキー、受信した印字データを印字させないで前記不揮発性メモリ２４に格納する為の格納モードキー、受信した印字データを不揮発性メモリ２４への格納と印字とを並行して行なう為の印字・格納モードキー、印字データを不揮発性メモリ２４に格納する格納番号をテンキーを用いて指示する格納番号キー、受信データの終了を指示する終了キー、不揮発性メモリ２４に格納したデータを印字指示する印字キー、各種動作モードを設定する為のモード設定用キーなどが設けられている。更に、この操作パネル２３には、現在の作動モードを示すインジケータや格納番号を表示する表示器などが設けられている。
　【００１７】
　前記コントロールユニット１０のＤＣコントローラ回路１２には、メインモータ２９のためのメインモータ駆動回路２５と、定着ヒータ３０のためのヒータ駆動回路２６と、電装品回路２７と、高電圧を供給する為の高圧ユニット２８とがコントロールユニット１０の内部において接続され、且つＤＣコントローラ回路１２には、半導体レーザの発光素子であるレーザダイオード３１と６面体ミラーを回転駆動するスキャナモータ３２とが接続されている。
　【００１８】
　次に、レーザプリンタＬＰのビデオコントローラ１１で行なわれる印字制御のルーチンについて、図
２
５
　レーザプリンタＬＰに電源が投入されるとこの制御が開始され、先ずＲＡＭ１６、１７をクリアするなどの初期設定が実行される（Ｓ１０）。その後、操作パネル２３の何れかのキーが操作されたか否か判定され（Ｓ１１）、操作されていないときには（Ｓ１１：Ｎｏ）、印字データが受信されたか否か判定され（Ｓ２３）、受信されていないときには（Ｓ２３：Ｎｏ）、Ｓ１１に戻る。
　【００１９】
　そして、格納モードキーが操作されたときには（Ｓ１１・Ｓ１２：Ｙｅｓ）、格納モードフラグＭＦがセットされて格納モードが設定され（Ｓ１３）、Ｓ１１に戻る。また、印字モードキーが操作されたときには（Ｓ１１：Ｙｅｓ、Ｓ１２：Ｎｏ、Ｓ１４：Ｙｅｓ）、格納モードフラグＭＦがリセットされ、格納モードが解除され且つ印字モードが設定され（Ｓ１５）、Ｓ１１に戻る。次に、消去キーが操作されたときには（Ｓ１１：Ｙｅｓ、Ｓ１２・Ｓ１４：Ｎｏ、Ｓ１６：Ｙｅｓ）、不揮発性メモリ２４に格納された印字データのうち、格納番号キーで指示された番号の印字データをクリアする消去処理が実行され（Ｓ１７）、Ｓ１１に戻る。次に、印字・格納モードキーが操作されたときには（Ｓ１１：Ｙｅｓ、Ｓ１２・Ｓ１４・Ｓ１６：Ｎｏ、Ｓ１８：Ｙｅｓ）、並行処理モードフラグＨＦがセットされ（Ｓ１９）、Ｓ１１に戻る。
　【００２０】
　ここで、外部機器から送信された印字データを受信したときに（Ｓ１１：Ｎｏ、Ｓ２３：Ｙｅｓ）、格納モードフラグＭＦがリセットされているときには（Ｓ２４：Ｎｏ）、通常の印字処理（図
３
　この制御が開始されると、先ず印字データ取込み処理制御（図
４
　この制御が開始されたときに、ＲＡＭ１６のデータバッファのデータに基づいてデータが存在するときには（Ｓ５０：Ｙｅｓ）、このデータバッファのデータのうち例えば１バイトずつ取込まれ（Ｓ５１）、この制御を終了して印字処理制御のＳ３２にリターンする。
　【００２１】
　そして、この取込まれたデータが不揮発性メモリ２４に既に格納されている格納データを印字するコマンドデータでなく（Ｓ３２：Ｎｏ）、合成コマンドデータのときに（Ｓ３５：Ｙｅｓ）、並行処理モードフラグＨＦがセットされていないときには（Ｓ３６：Ｎｏ）、合成モードフラグＧＦがセットされる（Ｓ３７）。しかし、並行処理モードフラグＨＦがセットされているときには（Ｓ３６：Ｙｅｓ）、この並行処理を優先させる為にＳ３１に戻る。
　次に、この取込まれたデータが合成コマンドデータでないときに（Ｓ３５：Ｎｏ）、並行処理モードフラグＨＦがセットされているときには（Ｓ３８：Ｙｅｓ）、この取込んだデータが不揮発性メモリ２４に格納される（Ｓ３９）。尚、並行処理モードフラグＨＦがセットされていないときには（Ｓ３８：Ｎｏ）、Ｓ４０に移行する。
　【００２２】
　次に、この取込まれたデータが書式設定の為のフォーマットデータのときには（Ｓ４０：Ｙｅｓ）、そのフォーマットデータがＲＡＭ１７のフォーマットメモリに格納され（Ｓ４１）、Ｓ３１に戻る。また、取込まれたデータがフォーマットデータでもフォームフィードコマンド（ＦＦコマンド）データでもないときには（Ｓ４０・Ｓ４２：Ｎｏ）、文字データなので、その文字データがフォーマットデータで指示された文字サイズや書体に対応する文字幅データを付加してＲＡＭ１６のデータメモリに格納され（Ｓ４３）、Ｓ３１に戻る。
　そして、取込まれたデータからフォームフィードコマンドデータが読出され、あるいはデータ量が１頁分に達するのにともなって同コマンドが生成されたときには（Ｓ３２・Ｓ３５・Ｓ３８・Ｓ４０：Ｎｏ、Ｓ４２：Ｙｅｓ）、ドットパターンデータ出力処理制御（図
５
　【００２３】
　この制御が開始されると、先ずデータメモリに格納された文字データとフォーマットデータとに基いて、文字や記号のデータをドットデータにイメージ展開されてＲＡＭ１７の印字バッファに格納される（Ｓ６０）。そして、合成モードフラグＧＦがセットされているときには（Ｓ６１：Ｙｅｓ）、不揮発性メモリ２４に格納されているドットパターンデータが読込まれ、これら両ドットパターンデータが印字バッファ内で合成され（Ｓ６２）、合成モードフラグＧＦがリセットされ（Ｓ６３）、この合成されたドットデータがビデオインターフェース２０を介してＤＣコントローラ１２に出力されて印字用紙に印字され（Ｓ６４）、データメモリがクリアされ（Ｓ６５）、この制御を終了して印字処理制御のＳ３１にリターンする。尚、この制御が開始されたときに、合成モードフラグＧＦがリセットされているときには（Ｓ６１：Ｎｏ）、Ｓ６４へ移行する。
　【００２４】
　そして、前記印字データ取込み処理制御が実行される（Ｓ３１）。ここで、データ受信の終了に伴って、前記データバッファにデータが存在しないときに（Ｓ５０：Ｎｏ）、終了キーが操作されていないときには（Ｓ５２：Ｎｏ）、Ｓ５０と・Ｓ５２とが繰り返され、終了キーが操作されたときに（Ｓ５２：Ｙｅｓ）、並行処理モードフラグＨＦがセットされているときには（Ｓ５３：Ｙｅｓ）、その並行処理モードフラグＨＦがリセットされ（Ｓ５４）、格納番号キーで指示された格納番号のデータ（識別データに相当する）が今回送信された一連の印字データの先頭に追加格納され（Ｓ５５）、この制御を終了して印字制御のＳ１１にリターンする。
　【００２５】
　ところで、前記印字処理制御が開始されたときに、取込まれたデータが格納データ印字コマンドのときに（Ｓ３２：Ｙｅｓ）、並行処理モードフラグＨＦがセットされているときには（Ｓ３３：Ｙｅｓ）、この並行処理を優先させる為にＳ３１に戻るが、並行処理モードフラグＨＦがセットされていないときは（Ｓ３３：Ｎｏ）、格納データ印字処理制御（図
７
　【００２６】
　この制御が開始されると、先ず不揮発性メモリ２４に格納された印字データが、例えば１バイトずつ読出され（Ｓ８１）、フォーマットデータのときには（Ｓ８２：Ｙｅｓ）、ＲＡＭ１７のフォーマットメモリに格納され（Ｓ８３）、Ｓ８１に戻る。また、読込まれたデータがフォーマットデータでもフォームフィードコマンドデータでもないときには（Ｓ８２・Ｓ８４：Ｎｏ）、文字データなので、その文字データがフォーマットデータで指示された文字サイズや書体に対応する文字幅データを付加してデータメモリに転送して格納され（Ｓ８５）、Ｓ８１に戻る。
　【００２７】
　そして、取込まれたデータがフォームフィードコマンドデータのときには（Ｓ８２：Ｎｏ、Ｓ８４：Ｙｅｓ）、データメモリに格納された文字データとフォーマットデータとに基いて、文字や記号のデータをドットデータにイメージ展開されて印字バッファに格納され（Ｓ８６）、このドットデータがビデオインターフェース２０を介してＤＣコントローラ１２に出力されて印字用紙に印字され（Ｓ８７）、データメモリがクリアされ（Ｓ８８）、不揮発性メモリ２４に未処理の印字データが存在するときには（Ｓ８９：Ｎｏ）、Ｓ６１に戻る。しかし、不揮発性メモリ２４内の印字データを全て印字処理したときには（Ｓ８９：Ｙｅｓ）、この制御を終了して前記Ｓ３１に戻る。
　【００２８】
　ところで、外部機器から送信された印字データを受信したときに（Ｓ１１：Ｎｏ、Ｓ２３：Ｙｅｓ）、格納モードが設定されているときには（Ｓ２４：Ｙｅｓ）、格納処理制御（図
６
　この制御が開始されると、先ず受信した印字データが１バイトずつ取込まれ（Ｓ７０）、この印字データが不揮発性メモリ２４に格納される（Ｓ７１）。そして、終了キーが操作されていないときには（Ｓ７２：Ｎｏ）、Ｓ７０に戻る。一方、印字データの送信が終了したのに伴って、終了キーが操作されたときには（Ｓ７２：Ｙｅｓ）、格納番号キーで指示された格納番号のデータが今回送信された一連の印字データの先頭に追加格納され（Ｓ７３）、この制御を終了して前記Ｓ１１にリターンする。
　【００２９】
　次に、図
２
７
　この制御は、前記Ｓ３４で実行される制御と同様なので、その説明を省略する。そして、この制御が終了すると、前記Ｓ１１にリターンする。
　ところで、操作されたキーが、格納モードキー、印字モードキー、消去キー、印字・格納モードキー及び印字キーでなく、例えば、格納番号キーが操作されたときには（Ｓ１１：Ｙｅｓ、Ｓ１２・Ｓ１４・Ｓ１６・Ｓ１８・Ｓ２０：Ｎｏ）、格納番号キーに対応する格納番号を設定するなどの操作されたキーに対応する処理が実行され（Ｓ２２）、Ｓ１１に戻る。
　【００３０】
　以上説明したように、外部から送信された印字データを、印字データのデータ量や急用性や記憶の必要性に基いて、不揮発性メモリ２４に格納しないで印字手段に印字させる印字モードか、又は送信するその都度印字手段に印字させると共に不揮発性メモリに格納する印字・格納モードかを選択できるので、印字モードと印字・格納モードとを適宜切換えることにより、外部機器と印字装置との総合的な稼働能率及び作業能率を向上させることができる。
　また、並行処理モードを設定したときには、外部機器とレーザプリンタＬＰとの両方の稼働能率を向上させることができる。
　【００３１】
　更に、送信する印字データ中に合成コマンドデータを含めるだけで、受信した印字データに後続させて不揮発性メモリ２４に格納した印字データを簡単に合成して印字処理することができる。
　更に、印字データの不揮発性メモリ２４への格納が完了したときに、格納番号データを印字データに付随させて不揮発性メモリ２４に格納するので、不揮発性メモリ２４に複数の印字データを格納した場合でも、これら複数の印字データの各々を確実に識別することができる。
　【００３２】
　ところで、前記印字処理制御におけるＳ３３において、合成コマンドデータか否かを検出するようにしたが、操作パネル２３に合成モードキーを設け、この合成モードキーが操作されたときに合成モードフラグＧＦをセットするように構成することも可能である。
　【００３３】
　ここで、特許請求の
範囲に
　【００３４】
　尚、前記不揮発性メモリ２４として、ハードディスクドライブ装置やフロッピーディスクドライブ装置などの外部記憶装置であってもよい。尚、受信したデータが画像データのようにドットデータの場合には、不揮発性メモリ２４から読出したドットデータを印字バッファに直接格納するように構成してもよい。尚、印字データを受信するように構成されたドット印字方式のラインプリンタなど、種々の印字装置に本発明を適用し得ることは勿論である。
　【００３５】
　【発明の効果】　以上説明したように、請求項１の印字装置によれば、不揮発性メモリと、設定手段と、読出し手段とを設け、外部から送信された印字データを、印字データのデータ量や急用性や記憶の必要性に基いて、不揮発性メモリに格納しないで印字手段に印字させる印字モードか、又は送信するその都度印字手段に印字させると共に不揮発性メモリに格納する印字・格納モードかを選択できるので、印字モードと印字・格納モードとを適宜切換えることにより、外部機器と印字装置の総合的な稼働能率及び作業能率を向上させることができる。
　ここで、前記不揮発性メモリを電気的に消去でき且つ書込み可能なフラッシュＲＯＭで構成した場合には、大容量のデータを記憶でき、しかも安価にすることができる。
　特に、並行処理手段は、印字データの印字手段への印字処理と不揮発性メモリへの格納処理とを並行して処理するので、印字データを印字処理する一方格納もすることができ、外部機器と印字装置との両方の稼働能率を向上させることができる。
　
また、識別データ格納手段は、印字データを識別する為の識別データを印字データに付随させて不揮発性メモリに格納するので、不揮発性メモリに複数の印字データを格納した場合でも、これら複数の印字データの各々を識別データで確実に識別できる。更に、消去キーと、識別データを指示するキーとにより、指示した識別データの印字データを不揮発性メモリから消去することができる。
　【００３６】
　請求項
２
　【００３７】
　請求項
３
前記識別データ格納手段が、
格納するので、
【図面の簡単な説明】
　【図
１
　【図
２
　【図
３
　【図
４
　【図
５
　【図
６
　【図
７
　【符号の説明】
　ＬＰ　　レーザプリンタ
　１１　　ビデオコントローラ
　１３　　ＣＰＵ
　１９　　セントロニクス用インターフェース
　２３　　操作パネル
　２４　　ＲＯＭ
　３１　　レーザダイオード
　３２　　スキャナモータ
【図面】